(57)【要約】【課題】観察者の視点に向けて精度良く画像を与えることができる。【解決手段】観察者の視点に向けて画像を表示する表示装置であって、平行光を出射するバックライト部と、バックライト部から出射された光を複数の視点のそれぞれに対応する複数の光束のそれぞれに分離するレンチキュラーレンズと、レンチキュラーレンズからの光を観察者の視点に集光する集光光学系と、水平方向に並んだ複数のプリズムを有し、集光光学系からの光を観察方向へと向かうように水平方向に屈折させるフレネルプリズムと、フレネルプリズムからの光を透過して画像を表示する表示パネルと、を備える表示装置を提供する。【選択図】図３
2014102276.tif 000002
【特許請求の範囲】
【請求項１】
観察者の視点に向けて画像を表示する表示装置であって、
平行光を出射するバックライト部と、
前記バックライト部から出射された光を複数の視点のそれぞれに対応する複数の光束のそれぞれに分離するレンチキュラーレンズと、
前記レンチキュラーレンズからの光を観察者の視点に集光する集光光学系と、
水平方向に並んだ複数のプリズムを有し、前記集光光学系からの光を前記観察方向へと向かうように水平方向に屈折させるフレネルプリズムと、  前記フレネルプリズムからの光を透過して画像を表示する表示パネルと、
を備える表示装置。
【請求項２】
前記レンチキュラーレンズにおける水平方向に並んで配列された複数のレンズは、周縁側のレンズの焦点距離が、中心側のレンズの焦点距離よりも長い
請求項１に記載の表示装置。
【請求項３】
当該表示装置は、水平方向の異なる複数の観察方向のそれぞれへと光を屈折させて画像を表示する表示装置であって、
前記複数の観察方向のそれぞれに対応して設けられ、対応する観察方向へと前記集光光学系からの光を屈折させる複数の前記フレネルプリズムを更に備え、
前記複数のフレネルプリズムは、垂直方向に並んで配置される
請求項１または２に記載の表示装置。
【請求項４】
前記集光光学系は、水平方向に光を集光するシリンドリカルフレネルレンズである
請求項３に記載の表示装置。
【請求項５】
前記フレネルプリズムおよび前記シリンドリカルフレネルレンズは、一体的に形成されている
請求項４に記載の表示装置。
【請求項６】
前記フレネルプリズムおよび前記シリンドリカルフレネルレンズを一体形成した一体形成レンズは、視点までの距離に対応する焦点距離を有するシリンドリカルフレネルレンズにおける一部の領域を切り出して形成される
請求項５に記載の表示装置。
【請求項７】
前記フレネルプリズムは、回折光学素子により形成されている
請求項１に記載の表示装置。
【請求項８】
前記フレネルプリズムからの光を透過して垂直方向に拡散する垂直方向拡散部を更に備え、
前記垂直方向拡散部は、
第１の垂直方向拡散板と、
前記第１の垂直方向拡散板を透過した隣接するスポット光の径が重複して出力される距離以上、前記第１の垂直方向拡散板から離間して配置される第２の垂直方向拡散板と、
を有する請求項１から７の何れか１項に記載の表示装置。
【請求項９】
前記バックライト部は、
光を予め定められた範囲に投射するプロジェクタ部と、
前記プロジェクタ部から投射された光を集光して平行光を出力する照射光学系と、
を有する請求項１から８の何れか１項に記載の表示装置。
【請求項１０】
前記照射光学系は、
前記プロジェクタ部からの光を第１の方向に集光する前段シリンドリカルフレネルレンズと、
前記前段シリンドリカルフレネルレンズを透過した光を前記第１の方向と９０度異なる方向に集光する後段シリンドリカルフレネルレンズと
を有する請求項９に記載の表示装置。
【発明の詳細な説明】
【技術分野】
【０００１】
本発明は、表示装置に関する。
【背景技術】
【０００２】
レンチキュラーおよび集光用レンズを用いて、専用メガネを装着していない観察者の左右の目に対して異なる画像を表示する裸眼用の立体表示装置が知られている。
［先行技術文献］
［特許文献］
［特許文献１］特開２０１２−１３３０２４号公報
【発明の概要】
【発明が解決しようとする課題】
【０００３】
ところで、特許文献１に記載された立体表示装置は、レンチキュラーを通過した発散された光が集光用レンズに入射される。従って、この立体表示装置は、光軸に対して斜め方向の光が集光用レンズに入射されるので、コマ収差による影響が大きくなってしまっていた。
【課題を解決するための手段】
【０００４】
本発明の第１の態様においては、観察者の視点に向けて画像を表示する表示装置であって、平行光を出射するバックライト部と、前記バックライト部から出射された光を複数の視点のそれぞれに対応する複数の光束のそれぞれに分離するレンチキュラーレンズと、前記レンチキュラーレンズからの光を観察者の視点に集光する集光光学系と、水平方向に並んだ複数のプリズムを有し、前記集光光学系からの光を前記観察方向へと向かうように水平方向に屈折させるフレネルプリズムと、前記フレネルプリズムからの光を透過して画像を表示する表示パネルと、を備える表示装置を提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る表示装置１０の構成を示す。
【図２】本実施形態に係る表示装置１０に備えられる、表示パネル２０、照射光学系２２、レンチキュラー２３、集光光学系２４、プリズムパネル２５および垂直方向拡散部２６の配置を示す。
【図３】本実施形態に係る表示装置１０を上側から見た場合の構成を示す。
【図４】表示装置１０の構成、および、光源パターン４０から第１の観察者の視点までの光路を示す。
【図５】表示装置１０の構成、および、光源パターン４０から第２の観察者の視点までの光路を示す。
【図６】各レンズの焦点距離が均一なレンチキュラーからの光を集光光学系２４で集光した場合における、光路の一例を示す。
【図７】焦点距離が中心部分よりも周縁部分の方が長いレンチキュラー２３を用いた場合の光路の一例を示す。
【図８】一体形成レンズ７０の一例を示す。
【図９】大型シリンドリカルフレネルレンズ７２、および、大型シリンドリカルフレネルレンズ７２の一部分である一体形成レンズ７０の一例を示す。
【図１０】大型シリンドリカルフレネルレンズ７２から各視点に対応した一体形成レンズ７０−１〜９を切り出す場合の切り出し位置の一例を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る表示装置１０の構成を示す。図２は、本実施形態に係る表示装置１０に備えられる、表示パネル２０、照射光学系２２、レンチキュラー２３、集光光学系２４、プリズムパネル２５および垂直方向拡散部２６の配置を示す。図３は、本実施形態に係る表示装置１０を上側から見た場合の構成を示す。
【０００９】
表示装置１０は、画像分離用メガネを装着していない複数の観察者に同時に立体的画像を表示する。例えば、表示装置１０は、観察範囲を左右に２分割した場合における、左側の領域に位置する第１の観察者及び右側の領域に位置する第２の観察者のそれぞれに対して、右眼に右眼用画像を照射し、左眼に左眼用画像を照射する。
【００１０】
表示装置１０は、図１〜図３に示されるように、表示パネル２０と、プロジェクタ部２１と、照射光学系２２と、レンチキュラー２３と、集光光学系２４と、プリズムパネル２５と、垂直方向拡散部２６とを備える。表示パネル２０は、裏面に照射された光を透過して、表面側に位置する複数の観察者に対して、右眼用画像および左眼用画像を表示する。
【００１１】
プロジェクタ部２１は、表示パネル２０の裏面側に設けられる。そして、プロジェクタ部２１は、表示パネル２０の裏面に対して光を出射する。プロジェクタ部２１は、外部から画像信号を受け取ることにより、予め設定されたパターンの光学像を表示パネル２０の裏面側に対して投影することができる。
【００１２】
本実施形態においては、プロジェクタ部２１は、右眼用プロジェクタ３１と、左眼用プロジェクタ３２と、ビームスプリッタ３３とを有する。右眼用プロジェクタ３１は、表示パネル２０等を通過して観察者の右眼へと向う光を出射する。左眼用プロジェクタ３２は、表示パネル２０等を通過して観察者の左眼へと向う光を出射する。ビームスプリッタ３３は、右眼用プロジェクタ３１から出射された光および左眼用プロジェクタ３２から出射された光のうち一方を透過し、他方を反射することにより、右眼用プロジェクタ３１から出射された光と左眼用プロジェクタ３２から出射された光とを合成し、合成した光を表示パネル２０の裏面側に照射する。
【００１３】
照射光学系２２は、プロジェクタ部２１から出射された光を集光して平行光とする。そして、照射光学系２２は、平行光を表示パネル２０の裏面側へと投影する。
【００１４】
照射光学系２２は、一例として、前段シリンドリカルレンズ３４と、後段シリンドリカルレンズ３５とを有する。前段シリンドリカルレンズ３４は、プロジェクタ部２１からの光を第１の方向（本例においては、表示パネル２０の垂直方向）に集光する。後段シリンドリカルレンズ３５は、前段シリンドリカルレンズ３４を透過した光を第１の方向と９０度異なる方向（本例においては、表示パネル２０の水平方向）に集光する。本例においては、前段シリンドリカルレンズ３４および後段シリンドリカルレンズ３５は、それぞれフレネルレンズである。
【００１５】
このようなプロジェクタ部２１および照射光学系２２は、表示パネル２０の裏面側に平行光を投射することができる。また、プロジェクタ部２１は、入力した画像信号に応じて予め設定された平面発光パターンの光を出射し、複数の光源の像を有する光源パターン４０を表示パネル２０の裏面側に投影する。このようなプロジェクタ部２１および照射光学系２２は、平行光を発光する複数の光源を有するバックライト部として機能する。なお、表示パネル２０の裏面に投影される光源パターン４０については、図４及び図５において更に説明する。
【００１６】
レンチキュラー２３は、照射光学系２２と表示パネル２０との間に配置され、プロジェクタ部２１及び照射光学系２２により出射された平行光を裏面から入射する。レンチキュラー２３は、一例として、表示パネル２０の垂直方向に伸びた帯状の半円筒型レンズ３６（即ち、シリンドリカルレンズ）を複数個有する。複数の半円筒型レンズ３６は、水平方向に配列して形成される。
【００１７】
複数の半円筒型レンズ３６のそれぞれは、裏面に入射された光を水平方向に分離（発散）させる。これにより、レンチキュラー２３は、裏面から入射された平行光を、水平方向に並んだ複数の視点のそれぞれに対応する複数の光束のそれぞれに分離することができる。従って、レンチキュラー２３は、表示装置１０を観察可能な視点数を２視点、５視点、７視点及び９視点といったように増やすことができる。
【００１８】
なお、ここで、レンチキュラー２３は、水平方向に並んで配列された複数の半円筒型レンズ３６のうち、周縁側の半円筒型レンズ３６の焦点距離が、中心側の半円筒型レンズ３６の焦点距離よりも長い。これにより、レンチキュラー２３は、後段の集光光学系２４において生じるコマ収差を予め補正することができる。なお、その詳細については、図６から図７において更に説明する。
【００１９】
集光光学系２４は、表示パネル２０の裏面側に設けられ、レンチキュラー２３を透過した光を、観察者の視点に集光する。集光光学系２４は、一例として、水平方向に光を集光するシリンドリカルフレネルレンズである。
【００２０】
プリズムパネル２５は、集光光学系２４と表示パネル２０との間に設けられ、集光光学系２４からの光を裏面から入射する。プリズムパネル２５は、集光光学系２４からの光を、水平方向の異なる複数の領域のそれぞれに向う方向に屈折させる。本例においては、プリズムパネル２５は、観察範囲を左右に２分割した場合における左側の領域に向う方向、および、右側の領域に向う方向の２方向に屈折する。
【００２１】
本実施形態において、プリズムパネル２５は、屈折する方向が異なる複数のフレネルプリズム５１を有する。複数のフレネルプリズム５１は、観察範囲を水平方向に複数に分割した場合における、それぞれの領域へと向う観察方向に対応して設けられる。複数のフレネルプリズム５１のそれぞれは、予め定められたピッチで水平方向に並んだ複数のプリズム５２を有し、照射光学系２２からの平行光を、対応する観察方向へ向うように屈折させる。
【００２２】
複数のフレネルプリズム５１のそれぞれは、表示パネル２０の水平方向に延伸した帯状である。そして、このような形状の複数のフレネルプリズム５１は、垂直方向に並んで配置される。
【００２３】
本例において、より具体的には、プリズムパネル２５は、左側の観察方向へと平行光を屈折させる複数の第１のフレネルプリズム５１−１、および、右側の観察方向へと平行光を屈折させる複数の第２のフレネルプリズム５１−２を有する。そして、プリズムパネル２５は、第１のフレネルプリズム５１−１と第２のフレネルプリズム５１−２とが垂直方向に交互に配置される。
【００２４】
複数の第１のフレネルプリズム５１−１は、集光光学系２４を透過した光を屈折させることにより、左側の領域に位置する第１の観察者の視点に集光させることができる。また、複数の第２のフレネルプリズム５１−２は、集光光学系２４を透過した光を屈折させることにより、右側の領域に位置する第２の観察者の視点に集光させることができる。
【００２５】
更に、複数の第１のフレネルプリズム５１−１は、右眼用プロジェクタ３１から出射された光を複数の観察者（本例においては、第１の観察者および第２の観察者）のそれぞれの右眼に集光する。また、複数の第２のフレネルプリズム５１−２は、左眼用プロジェクタ３２から出射された光を複数の観察者（本例においては、第１の観察者および第２の観察者）のそれぞれの左眼に集光する。
【００２６】
なお、各フレネルプリズム５１は、回折光学素子により形成されていてもよい。これにより、プリズムパネル２５は、小型化することができる。
【００２７】
垂直方向拡散部２６は、プリズムパネル２５と表示パネル２０との間に設けられ、プリズムパネル２５からの光を裏面から入射する。垂直方向拡散部２６は、プリズムパネル２５からの光を透過して垂直方向に拡散する。これにより、垂直方向拡散部２６は、特定の観察方向へと屈折するフレネルプリズム５１が垂直方向に離散的に配置されていても、その特定の観察方向に向う光を垂直方向に均一にして、表示パネル２０の裏面の全体に照射することができる。
【００２８】
垂直方向拡散部２６は、一例として、第１垂直方向拡散板５５と、第２垂直方向拡散板５６とを有する。第１垂直方向拡散板５５は、プリズムパネル２５側に設けられ、プリズムパネル２５からの光を垂直方向に拡散する。第２垂直方向拡散板５６は、表示パネル２０側に設けられ、第１垂直方向拡散板５５からの光を更に垂直方向に拡散する。
【００２９】
ここで、拡散板は、拡散する方向とは直交する方向に延伸したシリンドリカルレンズが、拡散する方向に複数個配列された構成を有する。従って、１枚の拡散板を透過した光は、個々のシリンドリカルレンズの中心の光量が周囲よりも大きくなり、多少のムラが生じる。そこで、第２垂直方向拡散板５６は、第１垂直方向拡散板５５により形成される垂直方向に隣接する光スポット（光量が周囲より大きな領域）の少なくとも一部同士が重複して照射される距離以上、第１垂直方向拡散板５５から離間して配置される。これにより、第１垂直方向拡散板５５及び第２垂直方向拡散板５６は、一つの拡散板により光を拡散する場合よりも、垂直方向にムラなく均一な光を出射することができる。
【００３０】
表示パネル２０は、垂直方向拡散部２６からの光に応じて画像を表示する。この場合において、表示パネル２０は、右眼用プロジェクタ３１から出射された光に応じて右眼用画像を表示し、左眼用プロジェクタ３２から出射された光に応じて左眼用画像を表示する。
【００３１】
例えば、右眼用プロジェクタ３１は、第１の偏光の光を発光し、左眼用プロジェクタ３２は、第１の偏光と直交する又は逆方向の第２の偏光の光を発光したとする。この場合、表示パネル２０は、第１偏光を透過し且つ第２偏光を遮断する領域と、第２偏光を透過し且つ第１偏光を遮断する表示領域とを有する。そして、表示パネル２０は、第１の偏光を透過し且つ第２の偏光を遮断する領域に右眼に与える右眼用画像を表示し、第２の偏光を透過し且つ第１の偏光を遮断する領域に左眼に与える左眼用画像を表示する。
【００３２】
また、例えば、右眼用プロジェクタ３１および左眼用プロジェクタ３２は、一定の時間間隔毎に交互に異なるタイミングで発光したとする。この場合、表示パネル２０は、右眼用プロジェクタ３１の発光タイミングにおいて右眼に与える右眼用画像を表示し、左眼用プロジェクタ３２の発光タイミングにおいて左眼に与える左眼用画像を表示する。
【００３３】
以上のような構成の表示装置１０は、観察者の右眼に対してのみ右眼用画像を表示し、観察者の左眼に対してのみ左眼用画像を表示することができる。このことにより、表示装置１０によれば、画像分離用メガネを装着していない観察者に対して、立体的画像を表示することができる。
【００３４】
図４は、表示装置１０の構成、および、光源パターン４０から第１の観察者の視点までの光路を示す。図５は、表示装置１０の構成、および、光源パターン４０から第２の観察者の視点までの光路を示す。
【００３５】
プロジェクタ部２１および照射光学系２２は、表示パネル２０の裏面側（より具体的には、レンチキュラー２３の裏面）に対して、それぞれが平行光を発光する複数の光源の像を含む光源パターン４０を投影する。より具体的には、右眼用プロジェクタ３１は、出射する光がレンチキュラー２３、集光光学系２４及びプリズムパネル２５を通過して各観察者の右眼へと向う、レンチキュラー２３の裏面上における複数の位置のそれぞれに、複数の右眼用光源の像４１のそれぞれを投影する。また、左眼用プロジェクタ３２は、出射する光がレンチキュラー２３、集光光学系２４及びプリズムパネル２５を通過して各観察者の左眼へと向う、レンチキュラー２３の裏面上における複数の位置のそれぞれに、複数の左眼用光源の像４２のそれぞれを投影する。
【００３６】
本例においては、図４に示されるように、プロジェクタ部２１は、第１のフレネルプリズム５１−１が設けられた高さ位置に、観察領域の左側に位置する第１の観察者へと向う光を発光する第１の右眼用光源の像４１−１および第１の左眼用光源の像４２−１を投影する。これにより、第１の右眼用光源の像４１−１により出射された光は、レンチキュラー２３、集光光学系２４、第１のフレネルプリズム５１−１、垂直方向拡散部２６および表示パネル２０を順次に通過して、第１の観察者の右眼に集光される。また、第１の左眼用光源の像４２−１により出射された光は、レンチキュラー２３、集光光学系２４、第１のフレネルプリズム５１−１、垂直方向拡散部２６および表示パネル２０を順次に通過して、第１の観察者の左眼に集光される。
【００３７】
また、図５に示されるように、プロジェクタ部２１は、第２のフレネルプリズム５１−２が設けられた高さ位置に、観察領域の右側に位置する第２の観察者へと向う光を発光する第２の右眼用光源の像４１−２および第２の左眼用光源の像４２−２を投影する。これにより、第２の右眼用光源の像４１−２により出射された光は、レンチキュラー２３、集光光学系２４、第２のフレネルプリズム５１−２、垂直方向拡散部２６および表示パネル２０を順次に通過して、第２の観察者の右眼に集光される。また、第２の左眼用光源の像４２−２により出射された光は、レンチキュラー２３、集光光学系２４、第２のフレネルプリズム５１−２、垂直方向拡散部２６および表示パネル２０を順次に通過して、第２の観察者の左眼に集光される。
【００３８】
以上のように、プロジェクタ部２１は、表示パネル２０の裏面側に光源パターン４０を投影することにより、観察者の右眼に対してのみ右眼用画像を表示させ、観察者の左眼に対してのみ左眼用画像を表示させることができる。
【００３９】
なお、プロジェクタ部２１は、合成すると白色光になるような複数の色（例えば、赤、青、緑）毎の光源の像を有する光源パターン４０を投影してもよい。各色毎の光源の像は、それぞれが右眼又は左眼へと向うように、位置が調整される。これにより、白色光源の像を投影した場合には色収差により色毎に光路のズレが生じてしまう場合であっても、プロジェクタ部２１は、色収差を予め補正する位置にそれぞれの色の光源を投影することができる。
【００４０】
図６は、各レンズの焦点距離が均一なレンチキュラーからの光を集光光学系２４で集光した場合における、光路の一例を示す。レンズに光軸に対して斜め方向の光が入射された場合、レンズの中心部分を通過した光束における像面（視点位置の面）上の位置と、レンズの周縁部分を通過した光束の像面上の位置とには、収差（コマ収差）によりズレが生じる。
【００４１】
従って、本実施形態のように、集光光学系２４が、レンチキュラー２３が有する各半円筒型レンズ３６（各シリンドリカルレンズ）により拡散された光を集光する場合、もしそのレンチキュラー２３が有する各半円筒型レンズ３６の焦点距離が全て均一であれば、図６に示されるように、集光光学系２４の光軸近傍を通過する光束と、集光光学系２４の光軸から遠い位置を通過する光束とで像面上における位置にズレが生じる。
【００４２】
図７は、焦点距離が中心部分よりも周縁部分の方が長いレンチキュラー２３を用いた場合の光路の一例を示す。ここで、本実施形態においては、レンチキュラー２３が有する各半円筒型レンズ３６の焦点距離は、集光光学系２４の光軸に近い中心部分よりも、光軸から遠い周縁部分の方が、長くなっている。これにより、レンチキュラー２３は、集光光学系２４において生じるコマ収差を予め補正した光束を集光光学系２４へと入射することができる。
【００４３】
また、レンチキュラー２３が有する各半円筒型レンズ３６は、集光光学系２４において生じるコマ収差を予め補正するように、水平方向における位置毎に焦点距離が適切に調整されていてもよい。これにより、レンチキュラー２３は、予め定められた像面上に、集光光学系２４の中心部分を通過した光束の像面上の位置と集光光学系２４の周縁部分を通過した光束の像面上の位置とを一致させることができる。
【００４４】
このように表示装置１０は、集光光学系２４において生じる収差を小さくして、観察者に鮮明な画像を見せることができる。
【００４５】
図８は、一体形成レンズ７０の一例を示す。図９は、大型シリンドリカルフレネルレンズ７２、および、大型シリンドリカルフレネルレンズ７２の一部分である一体形成レンズ７０の一例を示す。図１０は、大型シリンドリカルフレネルレンズ７２から各視点に対応した一体形成レンズ７０−１〜９を切り出す場合の切り出し位置の一例を示す。
【００４６】
本実施形態において、集光光学系２４（シリンドリカルフレネルレンズ）およびプリズムパネル２５は、一体的に形成されていてもよい。即ち、本実施形態においては、表示装置１０は、図８に示されるような、集光光学系２４（シリンドリカルフレネルレンズ）およびプリズムパネル２５を一体的に形成したレンズである合成パネル７４を、集光光学系２４およびプリズムパネル２５に代えて備えてもよい。これにより、表示装置１０は、光学部材を少なくして容易に製造することが可能となる。
【００４７】
ここで、図９に示されるように、合成パネル７４における垂直方向のある一部分のレンズ構成（一体形成レンズ７０）は、水平方向が当該一体形成レンズ７０の水平方向の幅より大きな大型シリンドリカルフレネルレンズ７２の一部分と同一形状となる。この大型シリンドリカルフレネルレンズ７２は、当該一体形成レンズ７０から視点までの距離に一致する焦点距離を有する。
【００４８】
また、合成パネル７４は、集光位置が水平方向に異なる複数の一体形成レンズ７０を、垂直方向に並べて配列した構成である。従って、例えば、水平方向の位置が異なる９個の視点のそれぞれに集光させるための合成パネル７４を製造する場合には、図１０（Ａ）に示されるように、切り出し位置を水平方向の所定量ずつずらした、同一幅の９種類の一体形成レンズ７０−１〜７０−９を大型シリンドリカルフレネルレンズ７２から切り出した形状を算出する。そして、図１０（Ｂ）に示されるように、これら９種類の一体形成レンズ７０−１〜７０−９を垂直方向に順番且つ巡回的に配列することにより合成パネル７４を設計することができる。これにより、合成パネル７４は、複雑な設計をせずに容易に製造することができる。
【００４９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５１】
１０  表示装置、２０  表示パネル、２１  プロジェクタ部、２２  照射光学系、２３  レンチキュラー、２４  集光光学系、２５  プリズムパネル、２６  垂直方向拡散部、３１  右眼用プロジェクタ、３２  左眼用プロジェクタ、３３  ビームスプリッタ、３４  前段シリンドリカルレンズ、３５  後段シリンドリカルレンズ、３６  半円筒型レンズ、４０  光源パターン、４１  右眼用光源の像、４２  左眼用光源の像、５１  フレネルプリズム、５２  プリズム、５５  第１垂直方向拡散板、５６  第２垂直方向拡散板、７０  一体形成レンズ、７２  大型シリンドリカルフレネルレンズ、７４  合成パネル
【図１】
2014102276.tif 000003
【図２】
2014102276.tif 000004
【図３】
2014102276.tif 000005
【図４】
2014102276.tif 000006
【図５】
2014102276.tif 000007
【図６】
2014102276.tif 000008
【図７】
2014102276.tif 000009
【図８】
2014102276.tif 000010
【図９】
2014102276.tif 000011
【図１０】
2014102276.tif 000012